(57)【要約】      （修正有）【課題】蓋体部分を薄くすることにより多様なニーズに対応することができるウェットティッシュ収納容器を提供する。【解決手段】容器本体の開口部を閉塞するように着脱自在に取り付けられる蓋体３を備え、蓋体は、天板を有するとともに下端部が開放された形状をなし、天板に穿設されたウェットティッシュ挿通孔６と、下端部が開放された円筒状の内周面の周方向に沿って、容器本体と螺合するねじ部と、ウェットティッシュ挿通孔を閉塞させる口栓８と、ウェットティッシュ挿通孔を開閉自在に覆う小蓋と、天板の下面に、口栓を係止する口栓係止部９とを有し、口栓は、ウェットティッシュ挿通孔を塞ぐ円形状を有する胴体部３０と、胴体部から外側に向かって延びる脚部３１、３２とを有し、容器本体のねじ部の高さが、１０ｍｍ以上２６ｍｍ以下である。容器本体と蓋体３で形成される容器の内部の高さが、１１０ｍｍ以上２５０ｍｍ以下である。【選択図】図４
2020083414.tif 000002
【特許請求の範囲】
【請求項１】
上端部に開口部を有し、ウェットティッシュのロール体を収納する容器本体と、
前記容器本体の開口部を閉塞するように着脱自在に取り付けられる蓋体と、を備え、
前記蓋体は、天板を有するとともに下端部が開放された形状をなし、前記天板に穿設されたウェットティッシュ挿通孔と、下端部が開放された円筒状の内周面の周方向に沿って、前記容器本体と螺合するねじ部と、前記ウェットティッシュ挿通孔を閉塞させる口栓と、前記ウェットティッシュ挿通孔を開閉自在に覆う小蓋と、前記天板の下面に設けられ、前記口栓を係止する口栓係止部とを有し、
前記口栓は、前記ウェットティッシュ挿通孔を塞く円形状を有する胴体部と、前記胴体部から外側に向かって延びる脚部と、を有し、
前記口栓係止部は、前記口栓の脚部の外形の少なくとも一部が嵌る形状を有し、
前記容器本体のねじ部の高さが、１０ｍｍ以上２６ｍｍ以下である、ウェットティッシュ収納容器、ウェットティッシュ収納容器。
【請求項２】
前記蓋体の高さが、１５ｍｍ以上４０ｍｍ以下である、請求項１に記載のウェットティッシュ収納容器。
【請求項３】
前記容器本体と前記蓋体で形成される容器の内部の高さが、１１０ｍｍ以上２５０ｍｍ以下である、請求項１又は請求項２に記載のウェットティッシュ収納容器。
【請求項４】
前記ロール体は、高さが９０ｍｍ以上２００ｍｍ以下である、請求項１から請求項３のいずれか一項に記載のウェットティッシュ収納容器。
【発明の詳細な説明】
【技術分野】
【０００１】
本発明は、ウェットティッシュ収納容器に関する。
【背景技術】
【０００２】
従来より、長手方向に所定の間隔で易切断部が形成されたウェットティッシュのロール体を収納する容器本体と、該容器本体の開口部を閉塞するよう着脱自在に取り付けられる蓋体とを備え、蓋体にウェットティッシュを引き出す引き出し孔を設け、この引き出し孔とウェットティッシュとの摩擦抵抗によって易切断部が切断されることにより、ウェットティッシュを１枚ずつ取り出せるようにしたウェットティッシュ収納容器が広く知られている（特許文献１参照）。
【先行技術文献】
【特許文献】
【０００３】
【特許文献１】特開２０１２−１９２９６２号公報
【発明の概要】
【発明が解決しようとする課題】
【０００４】
しかしながら、従来のウェットティッシュ収納容器では、取り出し時のウェットティッシュの問題を解消するために、容器の上部にある蓋体の構造が複雑化してきており、容器にコンパクト性を付与することができないという問題があった。
【０００５】
そこで、本発明は以上の課題に鑑みてなされたものであり、一定の蓋体の厚みを有しながらも、コンパクト性を付与できるウェットティッシュ収納容器を提供することを目的とする。
【課題を解決するための手段】
【０００６】
（１）上記課題を解決するために、本発明のウェットティッシュ収納容器は、上端部に開口部を有し、ウェットティッシュのロール体を収納する容器本体と、前記容器本体の開口部を閉塞するように着脱自在に取り付けられる蓋体と、を備え、前記蓋体は、天板を有するとともに下端部が開放された形状をなし、前記天板に穿設されたウェットティッシュ挿通孔と、下端部が開放された円筒状の内周面の周方向に沿って、前記容器本体と螺合するねじ部と、前記ウェットティッシュ挿通孔を閉塞させる口栓と、前記ウェットティッシュ挿通孔を開閉自在に覆う小蓋と、前記天板の下面に設けられ、前記口栓を係止する口栓係止部とを有し、前記口栓は、前記ウェットティッシュ挿通孔を塞く円形状を有する胴体部と、前記胴体部から外側に向かって延びる脚部と、を有し、前記口栓係止部は、前記口栓の脚部の外形の少なくとも一部が嵌る形状を有し、前記容器本体のねじ部の高さが、１０ｍｍ以上２６ｍｍ以下である。
【０００７】
（２）上記（１）の構成において、前記蓋体の高さが、１５ｍｍ以上４０ｍｍ以下である。
（３）上記（１）又は（２）の構成において、前記容器本体と前記蓋体で形成される容器の内部の高さが、１１０ｍｍ以上２５０ｍｍ以下である。
【０００８】
（４）上記（１）〜（３）の構成において、前記ロール体は、高さが９０ｍｍ以上２００ｍｍ以下である。
【発明の効果】
【０００９】
本発明によれば、一定の蓋体の厚みを有しながらも、コンパクト性を付与できるウェットティッシュ収納容器を提供できる。
【図面の簡単な説明】
【００１０】
【図１】本発明の実施形態に係るウェットティッシュ収納容器の一例を示す斜視図である。
【図２】本発明の実施形態に係るウェットティッシュ収納容器の断面図である。
【図３】本発明の実施形態に係るウェットティッシュ収納容器の蓋体の小蓋を開いた状態の上面を示す図である。
【図４】本発明の実施形態に係るウェットティッシュ収納容器の蓋体の下面を示す分解斜視図である。
【図５】（ａ）は本発明の実施形態に係るウェットティッシュ収納容器の口栓の正面図、（ｂ）は口栓の断面図を示す図である。
【図６】（ａ）は本発明の実施形態に係るウェットティッシュ収納容器の口栓を正面側から見た斜視図、（ｂ）は口栓を背面側から見た斜視図である。
【図７】本実施形態のウェットティッシュ収納容器の蓋体の裏面側を示す図である。
【図８】本実施形態のウェットティッシュ収納容器の蓋体の小蓋を閉じた状態を示す図である。
【図９】（ａ）は従来のウェットティッシュ収納容器に収納されるロール体のサイズを説明するための図、（ｂ）は本発明の実施形態に係るウェットティッシュ収納容器に収納されるロール体のサイズを説明するために図である。
【図１０】（ａ）は従来のウェットティッシュ収納容器における蓋体の小蓋の開き角度の説明図、（ｂ）は本発明のウェットティッシュ収納容器における蓋体の小蓋の開き角度の説明図である。
【図１１】本発明のウェットティッシュ収納容器のヒンジ部の構造について説明する図である。
【図１２】本発明のウェットティッシュ収納容器の蓋体におけるヒンジ部の背面側を示す図である。
【発明を実施するための形態】
【００１１】
以下、本発明に係るウェットティッシュ収納容器の実施の形態を、図面を参照して詳細に説明する。
図１は、本発明の実施形態に係るウェットティッシュ収納容器の一例を示す斜視図である。図２は、本発明の実施形態に係るウェットティッシュ収納容器の断面図である。図３は、本発明の実施形態に係るウェットティッシュ収納容器の蓋体の小蓋を開いた状態の上面を示す図である。図４は、本発明の実施形態に係るウェットティッシュ収納容器の蓋体の下面を示す分解斜視図である。
【００１２】
図１から図４に示すように、ウェットティッシュ収納容器Ｓは、ウェットティッシュＰのロール体を収納する容器本体１と、該容器本体１の開口部２を閉塞するよう着脱自在に取り付けられる蓋体３とで構成されている。容器本体１に収納されるウェットティッシュＰのロール体は、長手方向に所定の間隔で易切断部が形成されており、紙や不織布等の基布に予め化粧水やアルコール成分、除菌剤、防腐剤等を含む薬液が含浸されている。
【００１３】
容器本体１は、上端部に開口部２を有する有底円筒状であって、容器本体１の上端部の外周面には、周方向に沿って雄ねじ部４が形成されている。容器本体１は、ポリプロピレン、ポリエチレン、ポリ塩化ビニル、ＡＢＳ樹脂等の熱可塑性樹脂を用いて射出成形等により成型される。
【００１４】
蓋体３は、天板５を有するとともに下端部が開放された円筒状の形状を持ち、天板５に穿設されたウェットティッシュ挿通孔６と、ウェットティッシュ挿通孔６を閉塞させる口栓８と、ウェットティッシュ挿通孔６を開閉自在に覆う小蓋７と、天板５の下面に突設され、口栓８を係止する口栓係止部９とを備えている。蓋体３には、小蓋７を開閉自在に軸支するヒンジ部４０が設けられている。蓋体３は、その下端部の内周面には、周方向に沿って、容器本体１の雄ねじ部４と螺合する雌ねじ部１０が形成され、容器本体１の開口部２に着脱自在に嵌着するようになっている。
雄ねじ部４は、雄ねじ部４の高さが、１０〜２６ｍｍ以下である。容器本体のねじ部の高さである雄ねじ部４の高さが、蓋体３に吸収される高さに相当し、コンパクト性を付与する構造となる。
【００１５】
蓋体３は、ポリプロピレン、ポリエチレン、ポリ塩化ビニル、ＡＢＳ樹脂等の熱可塑性樹脂を用いて射出成形等により成型される。
蓋体３の天板５には、頂面部１１の中央に頂面部１１より一段低くなった段下げ面部１２が形成されている。段下げ面部１２には、円形状の囲繞壁１３が立設され、囲繞壁１３の内側には、中央に円形状のウェットティッシュ挿通孔６が穿設されている。
ウェットティッシュ挿通孔６は口栓８により閉塞されており、ウェットティッシュ挿通孔６の大きさは、ウェットティッシュ挿通孔６に指先を押し入れることができるサイズとなっている。具体的には、直径が１０〜２０ｍｍであることが好ましく、より好ましくは１２〜１８ｍｍ、さらに好ましくは１４〜１６ｍｍである。
口栓８には、ウェットティッシュを引き出す引き出し孔１７が形成されている。
【００１６】
また、蓋体３の天板５には、周囲より高さが低い窪み領域１４が段下げ面部１２と段差を持った状態で連続して形成されており、この窪み領域１４は、蓋体３の外周壁まで連続するように形成されている。
蓋体３の窪み領域１４の反対側となる部分には、小蓋７が連設されており、小蓋７には、囲繞壁１３を挟むようにして緊密に嵌り合い、囲繞壁１３内を気密状態とする２重の嵌合壁１５が形成されている。小蓋７を閉じることにより、囲繞壁１３に嵌合壁１５が緊密に嵌り合い、囲繞壁１３内が気密状態となることで、容器本体１に収容されたウェットティッシュＰの乾燥を防ぐことが可能となる。
窪み領域１４は、平らな第１領域１４ａと平らな第２領域１４ｂの間の領域に下りの傾斜である傾斜部１４ｃが形成されている。窪み領域１４は、連続的にすべて傾斜によって形成することもできるが、平らな領域を多く設ける方が蓋体３の下面の構造を簡素化することができる。
【００１７】
図４に示すように、窪み領域１４の下面には、窪み領域１４に対応して凸領域１８が形成されており、窪み領域１４の平らな第１領域１４ａと第２領域１４ｂに対応して、平らな第１領域１８ａと第２領域１８ｂが形成されており、窪み領域１４の傾斜部１４ｃに対応して、凸領域１８の傾斜部１８ｃが形成されている。
窪み領域１４に傾斜を設けることによって小蓋７が閉じた状態において、窪み領域１４の傾斜部１４ｃに指を当てることにより小蓋７の端に指が引っ掛かり、小蓋７の開閉がスムーズになる。
窪みの第一領域１４ａと第二領域１４ｂとの高低差は１ｍｍ〜８ｍｍであることが好ましく、より好ましくは２〜４ｍｍである。
【００１８】
図２及び図４に示すように、天板５の下面には、ウェットティッシュ挿通孔６を囲むようにして口栓係止部９が口栓８の脚部３１、３２、３３、３４の形状に合わせて突設されており、口栓係止部９に口栓８の脚部３１〜３４が嵌って係止される。口栓８の脚部３１〜３４は、後述するように可撓性を有する弾性材からなるため、口栓係止部９に対して容易に着脱することができる。
【００１９】
図５（ａ）は本発明の実施形態に係るウェットティッシュ収納容器の口栓の正面図、（ｂ）は口栓の断面図を示す図である。図６（ａ）は本発明の実施形態に係るウェットティッシュ収納容器の口栓を正面側から見た斜視図、（ｂ）は口栓を背面側から見た斜視図である。図５、図６及び上述した図１〜図４を参照しつつ説明する。
【００２０】
口栓８は、可撓性を有する弾性材からなり、口栓８の硬さは、デュロメーター硬さで７０〜１００とするのが好ましく、より好ましくは７５〜９５、さらに好ましくは８０〜９０である。
口栓８の材料としては、例えば熱硬化性エラストマー（スチレン系、塩化ビニル系、エステル系、オレフィン系、アミド系、ウレタン系）や熱硬化性ゴム（シリコーンゴム、ウレタンゴム、フッ素ゴム）の単体若しくはこれら二種類以上の複合材料を用いることができ、特に、耐久性や耐薬品性の観点からスチレン系の熱可塑性エラストマーが望ましい。
口栓８の厚さは、３〜６ｍｍであるのが好ましい。
【００２１】
口栓８は、ウェットティッシュ挿通孔６を塞く円筒形状を有する胴体部３０と、胴体部３０から外側に向けって延びる脚部３１〜３４と、を有する。
胴体部３０は、ウェットティッシュ挿通孔６を塞ぐような形状を持っていればよい。
胴体部３０には、ウェットティッシュを引き出す引き出し孔１７が形成されている。
胴体部３０の径は、ウェットティッシュ挿通孔６に対応させて、１５〜３０ｍｍであることが好ましく、より好ましくは１８〜２５ｍｍ、さらに好ましくは２０〜２３ｍｍである。
【００２２】
図の例では、脚部３１〜３４は、胴体部３０の下端から外側に延びるように形成されているが、脚部３１〜３４を胴体部３０の中間位置から外側に延びるように形成することもできる。
脚部３１、３２は、胴体部３０の下端から胴体部３０を中心に左右対称に形成されている。脚部３３、３４は、胴体部３０の下端から胴体部３０を中心に上下対称に形成されている。脚部３１、３２と脚部３３、３４は、口栓８の装着する方向を間違えないために、胴体部３０を中心に左右、上下とが非対称（異形）に形成されており、万が一、口栓が外れて再び装着する場合でも最適な取り出し性を維持することができる。
脚部３１には、胴体部３０から外側に向かって延びるテーパー部３１ａ、３１ｂが形成されている。脚部３２には、胴体部３０から外側に向かって延びるテーパー部３２ａ、３２ｂが形成されている。
【００２３】
口栓係止部９は、口栓の脚部３１、３２の外形の少なくとも一部が嵌る形状を有するよう形成されており、図の例では、口栓の脚部３１、３２の外形のすべてが嵌るように形成されている。例えば口栓係止部９の一部を切り欠いて設けることもできる。
図４に示すように、口栓係止部９は、脚部３１のテーパー部３１ａ、３１ｂに対応してテーパー部９ａ、９ｂ、脚部３２のテーパー部３２ａ、３２ｂに対応してテーパー部９ｃ、９ｄが形成されている。
【００２４】
引き出し孔１７は、胴体部の略中央に設けられた中央丸孔１７ａと、中央丸孔１７ａを中心に直線形状に形成されたスリット孔１７ｂと、スリット孔１７ｂの両端のそれぞれに設けられた端部丸孔１７ｃと、を有する。
中央丸孔１７ａの径と周辺の硬さは、蓋体３の裏側からウェットティッシュの１枚目を指で通して表側へ出すのに最適なものが選択される。
また、中央丸孔１７ａの大きさは、ウェットティッシュの二枚目がミシン目で破断されて一緒に出てこないような抵抗が得られる大きさとするのが好ましい。
中央丸孔１７ａの径は、１．０〜５.０ｍｍであることが好ましく、より好ましくは１．５〜４．０ｍｍであり、さらに好ましくは２．０〜３．０ｍｍである。口栓８の中央丸孔１７ａ、スリット孔１７ｂ、端部丸孔１７ｃの周辺の硬さは、デュロメーター硬さで好ましくは７０〜１００、より好ましくは７５〜９５、さらに好ましくは８０〜９０である。上記の範囲である場合に、ウェットティッシュを引き出す際に、ミシン目位置で正しく破断され、二枚目が一緒に出てくることを防止でき、また、二枚目のシートが適切な長さで中央丸孔１７ａにて保持される。さらに、ウェットティッシュの一枚目を容易に通すことができる。
また、スリット孔１７ｂの両端に端部丸孔１７ｃを設けることにより、裏からウェットティッシュ一枚目を通す時に端が避けてしまうのを防止することができる。また、ウェットティッシュを引き出す時の抵抗が適切となる。
スリット孔１７ｂの長さ（端部丸孔１７ｃの中心からもう一方の端部丸孔１７ｃの中心までの繋ぐ長さ）は、４．０〜１３．０ｍｍであることが好ましく、より好ましくは５．５〜１０．０ｍｍであり、さらに好ましくは７．０〜８．０ｍｍである。スリット孔の幅（スリット孔の長さと対向する長さ）は、０．５〜２．０ｍｍであることが好ましく、より好ましくは０．８〜１．７ｍｍであり、さらに好ましくは１．１〜１．４ｍｍである。上記の範囲である場合、ウェットティッシュの一枚目を通す時に端が破れることを抑制しながら、適切な取り出し性を得ることができる。
【００２５】
図１及び図３〜図６に示すように、小蓋７を開いて正面から見たときに引き出し孔１７のスリット孔１７ｂが左右方向に位置するように口栓の脚部３１、３２が設けられている。この構成により、口栓係止部９に口栓８の脚部３１、３２を嵌めると、小蓋７を開いて正面から見たときに引き出し孔１７のスリット孔１７ｂが左右方向（脚部３１、３２の方向）になるように位置決めできる。
ウェットティッシュを取り出すときにスリット孔１７ｂが縦方向に形成されていると、下の方にウェットティッシュが偏ってしまうため、取り出し抵抗が小さくなってしまう。これに対して、小蓋７を開いて正面から見たときにスリット孔１７ｂが左右方向になるように口栓８を位置決めすることにより、取り出し抵抗を適切にすることができ、使用感を向上させることができる。
【００２６】
このように構成されたウェットティッシュ収納容器Ｓにおいて、ウェットティッシュＰを引き出し可能な状態とするには、次のように行う。まず、容器本体１に螺嵌された蓋体３を回転させて容器本体１から外し、蓋体３の小蓋７を開けて、ウェットティッシュ挿通孔６を開放状態にする。次に、口栓８の引き出し孔１７にウェットティッシュＰを挿通し、引き出し可能な状態とする。このように、ウェットティッシュＰを引き出し孔１７に挿通する作業を簡単に行うことができ、容易にウェットティッシュＰを引き出し可能な状態とすることができる。
【００２７】
次に、大容量のウェットティッシュ収納容器について説明する。
図７は、本実施形態のウェットティッシュ収納容器の蓋体の裏面側を示す図である。図８は、本実施形態のウェットティッシュ収納容器の蓋体の小蓋を閉じた状態を示す図である。図７、図８及び必要に応じて図１から図６を参照しながら、説明する。
【００２８】
上述したように、蓋体３には、小蓋７を開くために周辺より高さが低い窪み領域１４が形成されている。この窪み領域１４は、小蓋７を開くために指先を入れるためのものであり、窪み領域１４の窪みの深さが深ければ指先を入れやすく小蓋７を開け易くなるが、窪み領域１４の深さが深過ぎると、蓋体３の天板５の下面に窪み領域１４の窪みに対応した部分が突出してしまうこととなり、容器の容量を大きくすることができない。そこで、図７に示すように、窪み領域１４の蓋体３の下面には、窪み領域１４に対応して凸領域１８が形成され、この凸領域１８が、口栓係止部９の高さより容器の内部に突出しないよう形成されている。
蓋体３の雌ねじ部１０は、高さ方向において、口栓係止部９と窪み領域の下面に形成された凸領域１８に重ならないよう形成されている。
窪みの深さは、５〜１０ｍｍである場合に、指先の入れやすさを有しながら、容器の容量を大きくすることができる。
【００２９】
図９（ａ）は従来のウェットティッシュ収納容器に収納されるロール体のサイズを説明するための図、同図（ｂ）は本発明の実施形態に係るウェットティッシュ収納容器に収納されるロール体のサイズを説明するために図である。
図９（ａ）に示すように、従来のウェットティッシュ収納容器１００は、高さ１５８ｍｍの容器本体１０１と蓋体１０３とならなり、蓋体１０３の構造のため高さが高くなってしまっていたため、容器の高さに制限があると、容器本体１０１の高さも制限され、ロール体Ｒ０を幅の大きいロール体にすることができなかった。
蓋体３の構造を改良することによって、次の３つ方法でコンパクト化を達成することができる。
（１）蓋体３の厚みはそのままで、容器の高さ（ねじ山の部分）を高くし、内部の高さを高くする。これにより製品高さはそのままで、大きなロール体を収納できる。
（２）蓋体３の高さを薄くして、容器の高さ（ねじ山以外の部分）を高くする。これにより製品高さはそのままで、大きなロール体を収納できる。ただし、この場合は蓋体３が薄くなりすぎてしまうと、開閉しにくいという問題がある。
（３）ロール体の大きさはそのままで、蓋体３の高さを薄くする。これにより、中身の大きさはそのままで、製品をコンパクトにすることができる。
【００３０】
例えば上記（３）の場合、ウェットティッシュ収納容器Ｓでは、蓋体３の下面に突出するものを低く抑え、蓋体３の厚みを従来よりも薄くし、蓋体３のねじ部の位置を工夫することにより、ウェットティッシュ収納容器Ｓ全体の高さは従来と同じでも、従来よりもロール幅の大きなロール体Ｒを容器に収納することができるようになった。
ここで、蓋体３の雌ねじ部１０の位置を上記のようにすることにより、蓋体３の高さを低くすることができ、蓋体３の高さは、例えば１５ｍｍ以上４０ｍｍ以下であるのが好ましく、より好ましくは２０〜３５ｍｍ、さらに好ましくは２５〜３０ｍｍである。
ロール体Ｒは、高さが９０ｍｍ以上２００ｍｍ以下であるのが好ましく、より好ましくは１１０〜１８０ｍｍ、さらに好ましくは１２０〜１５０ｍｍである。
なお、容器本体１と蓋体３で構成される容器の内部の高さＸは、１１０ｍｍ以上２５０ｍｍ以下であるのが好ましく、より好ましくは１３０〜２３０ｍｍ、さらに好ましくは１４０〜２００ｍｍである。
【００３１】
次に本発明の実施形態に係るウェットティッシュ収納容器の蓋体の小蓋の開き角度について説明する。
図１０（ａ）は従来のウェットティッシュ収納容器における蓋体の小蓋の開き角度の説明図、同図（ｂ）は本発明のウェットティッシュ収納容器における蓋体の小蓋の開き角度の説明図である。
【００３２】
図１０（ａ）に示すように、従来のウェットティッシュ収納容器１００の蓋体１０３の小蓋１０７の開き角度は約９０〜１１０°程度であった。小蓋１０７の開閉角度が狭いと、シートを引き出す際に小蓋１０７が邪魔になるという問題があった。また、小蓋１０７の開閉角度が狭いと小蓋１０７の反対側からシートを引き出そうとしたときに小蓋１０７が邪魔になるという問題もある。そこで、本実施形態のウェットティッシュ収納容器Ｓでは、シートを引き出す際に小蓋が邪魔にならないようにするために、蓋体３の小蓋７の最大開き角度を１２０°以上１８０°以下の範囲としている（図１０（ｂ）では１８０°の例を示している）。
詳細は後述するが、ヒンジ部４０の構成を工夫することにより、容器本体１と蓋体３で構成される容器の内部の高さＸを十分に確保できる。
【００３３】
次に、本実施形態に係るウェットティッシュ収納容器のヒンジ部の構造について説明する。図１１は、本実施形態のウェットティッシュ収納容器のヒンジ部の構造について説明する図である。図１２は、本実施形態のウェットティッシュ収納容器の蓋体におけるヒンジ部の背面側を示す図である。
ヒンジ部４０は、小蓋７が最大開き角度の１２０°以上１８０°以下の範囲で開いた状態で静止状態を保つよう構成されている。図１１に示す例では、小蓋７が１７０°程度で開いた状態で静止状態を保っている。
【００３４】
蓋体３は、天板５よりも外側に設けられたベース部２５が形成されている。そして、ヒンジ部４０は、このベース部２５に形成されており、第１ヒンジ部４１、４２と、第１ヒンジ部４１、４２よりも下側に位置し、小蓋７を閉まる方向に付勢する第２ヒンジ部４３と、を有する。第２ヒンジ部４３の湾曲部分の湾曲量を調整することで、小蓋７を閉まる方向に付勢している。
【００３５】
第１ヒンジ部４１、４２を構成する薄肉部４１ａ、４２ａは、ベース部２５の外側に位置するよう形成されている。同様に第２ヒンジ部４３を構成する薄肉部４３ａも、ベース部２５の外側に位置するよう形成されている。
第１ヒンジ部４１、４２及び第２ヒンジ部４３をベース部２５に形成し、さらにそれぞれの薄肉部４１ａ、４２ａ及び４３ａをベース部２５の外側に位置するように形成することで、小蓋７の開き角度を従来よりも大きい１２０°以上１８０°以下とすることができる。
【００３６】
第１ヒンジ部４１、４２の薄肉部４１ａ、４２ａに連続して当接部４１ｂ、４２ｂが形成され、小蓋７を閉じると、この当接部４１ｂ、４２ｂがベース部２５に当接するようになっている。第２ヒンジ部４３の薄肉部４３ａに連続して斜めに形成された当接部４３ｂが形成され、小蓋７を閉じると、この当接部４３ｂがベース部２５の凹部２６に形成された傾斜部に当接する。
上記のように構成することにより、蓋体３の小蓋７の最大開き角度を１２０°以上１８０°以下の範囲とすることができる。
【００３７】
上述した本実施形態によれば、口栓８の形状や口栓係止部９による口栓の係止形状を工夫することにより、蓋体３を薄くすることができる。
また、本実施形態によれば、小蓋７を開いて正面から見たときにスリット孔１７ｂが左右方向に位置するよう口栓８が配置されているため、口栓８の取り出し孔１７にウェットティッシュが偏るのを防ぎ、取り出し抵抗が適切となって、使用感を向上させることができる。
本実施形態によれば、ねじ部の位置を工夫することにより、容器の内部高さを高くすることができる。詳しくは、コンパクト性を付与するためには、蓋体を薄くする必要があり、さらに蓋体が薄いとコストを下げることができる。一方で、蓋体を薄くしすぎると開け閉めしにくくなってしまうという問題がある。そこで、一定の蓋体の厚みを有しながら、コンパクト性を付与するために、容器本体のねじ部を高くして、蓋体で吸収することにより実現をしている。この構成により、開閉がしやすく、コンパクトなウェットティッシュ収納容器を得ることができる。
また、本実施形態によれば、蓋体の窪み領域を工夫することにより、蓋体３を薄くすることができる。
また、本実施形態によれば、蓋体の小蓋のヒンジ部の構成を工夫することにより、使い易く、かつ、蓋体３を薄くすることができる。
【００３８】
以上、本発明を、実施形態を用いて説明したが、本発明の技術的範囲は上記の実施形態の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３９】
Ｓ  ウェットティッシュ収納容器
１  容器本体
３  蓋体
４  雄ねじ部
６  ウェットティッシュ挿通孔
７  小蓋
８  口栓
９  口栓係止部
１０  雌ねじ部
１２  段下げ面部
１４  窪み領域
１７  引き出し孔
１７ａ  丸孔
１７ｂ  スリット孔
１７ｃ  丸孔
２５  ベース部
３０  胴体部
３１、３２  脚部
３１ａ、３１ｂ、３２ａ、３２ｂテーパー部
４０  ヒンジ部
４１、４２  第１ヒンジ部
４３  第２ヒンジ部
４１ａ、４２ａ、４３ａ  薄肉部
【図１】
2020083414.tif 000003
【図２】
2020083414.tif 000004
【図３】
2020083414.tif 000005
【図４】
2020083414.tif 000006
【図５】
2020083414.tif 000007
【図６】
2020083414.tif 000008
【図７】
2020083414.tif 000009
【図８】
2020083414.tif 000010
【図９】
2020083414.tif 000011
【図１０】
2020083414.tif 000012
【図１１】
2020083414.tif 000013
【図１２】
2020083414.tif 000014